【手続補正書】
【提出日】平成19年4月12日(2007.4.12)
【手続補正１】
【補正対象書類名】明細書
【補正対象項目名】０００５
【補正方法】変更
【補正の内容】
【０００５】
この摩擦式変速機構は、入力軸、出力軸及び変速リングが各遊星回転子と接触すること
により、入力軸のトルクを出力軸に伝達しつつ入力軸の回転速度を増減して出力軸に伝達
可能であり、出力軸には遊星回転子の公転に相当する角速度が伝達される。
【手続補正２】
【補正対象書類名】明細書
【補正対象項目名】０００６
【補正方法】変更
【補正の内容】
【０００６】
この変速機付き圧縮機によれば、ピストンがピストンロッドを突出させることにより、
変速リングが各遊星回転子における各変速面の小径側で摩擦接触すれば、各遊星回転子は
、自転しつつ低速で第１軸芯回りを公転する。このため、出力軸は低速で回転する
。また、ピストンがピストンロッドを引き込むことにより、変速リングが各遊星回転子に
おける各変速面の大径側で摩擦接触すれば、各遊星回転子は、自転しつつ高速で第
１軸芯回りを公転する。このため、出力軸は高速で回転する。こうして、この変速機付き
圧縮機では、摩擦式変速機構が圧縮機構を変速して駆動することが可能なため、圧縮機構
の圧縮容量を必要に応じて加減できる。
【手続補正３】
【補正対象書類名】明細書
【補正対象項目名】０００８
【補正方法】変更
【補正の内容】
【０００８】
しかし、上記従来の変速機付き圧縮機では、変速リングがその周方向の一部で押された
り、引っ張られたりして第１軸芯と平行な方向に移動されるようになっているため、変速
リングが第１軸芯に対して傾斜しやすく、摩擦式変速機構が変速制御を好適に行い難い。
このため、この変速機付き圧縮機では、単位時間当たりの冷媒の圧縮量の制御を好適に行い難いという欠点がある。 
【手続補正４】
【補正対象書類名】明細書
【補正対象項目名】００２１
【補正方法】変更
【補正の内容】
【００２１】
この変速機付き圧縮機は、フロントハウジング１１、センターハウジング１２、シェル
１３及びリヤハウジング１４からなるハウジング１０を備えている。フロントハウジング
１１及びセンターハウジング１２は互いに締結されることにより、内部に変速室１０ａを
形成している。シェル１３は後述する固定スクロール４１を一体に有しており、センター
ハウジング１２とシェル１３との間には後述する可動スクロール４２等が設けられている
。シェル１３及びリヤハウジング１４は互いに締結されることにより、内部に吸入室５１
及び吐出室５２を形成している。なお図１において下側を前側とし、上側を後側とする。
【手続補正５】
【補正対象書類名】明細書
【補正対象項目名】００２３
【補正方法】変更
【補正の内容】
【００２３】
また、変速室１０ａ内において、入力軸１７の後方部分はキャリヤ２０がサークリップ２１によって後方への移動が阻止された状態で設けられている。このキャリヤ２０には入力軸１７と摺動可能な軸受メタル２２が圧入されており、これによりキャリヤ２０は第１軸芯Ｏ１回りに回転可能になっている。このキャリヤ２０の外周面には、凹んだテーパ状の支持面２０ａが後述する遊星回転子２７の個数だけ凹設されている。
【手続補正６】
【補正対象書類名】明細書
【補正対象項目名】００２５
【補正方法】変更
【補正の内容】
【００２５】
センターハウジング１２には、第１軸芯Ｏ１と平行かつ同心の環状をなすシリンダ室１
２ａがフロントハウジング１１側を開いて形成されている。シリンダ室１２ａ内には筒状
をなす変速リング２６が往復動可能に収納されている。図３に示すように、変速リング２
６の先端には第１軸芯Ｏ１と同心に形成された第１受圧面２６ｄが形成され、変速リング
２６の後端には、第１受圧面２６ｄと対抗し、第１軸芯Ｏ１と同心に形成された第２受圧
面２６ｅが形成されている。また、変速リング２６の先端側の内周には円筒状の押圧面２
６ａが形成されている。なお、図１に示すように、変速リング２６の後方側の外周面及び
内周面にはシールリング２６ｂ、２６ｃが装着されている。また、フロントハウジング１
１の内周面には、シリンダ室１２ａから変速室１０ａ側に突出した変速リング２６の外周
面を案内するガイド面１１ｂが形成され、ガイド面１１ｂの最も前端は変速リング２６の
先端面と当接するストッパ面１１ｃとされている。
【手続補正７】
【補正対象書類名】明細書
【補正対象項目名】００２９
【補正方法】変更
【補正の内容】
【００２９】
出力軸２４は円柱状の駆動ブッシュ４３に対して偏心して圧入されている。駆動ブッシ
ュ４３の出力ロータ２５側には径外方向に延びる駆動ロータ４４が出力ロータ２５と対面
するように一体に形成されている。図２に示すように、出力ロータ２５の後端面には周方
向で深さが浅くなる溝２５ｂが凹設され、駆動ロータ４４の前端面には溝２５ｂと面対称
をなす溝４４ａが凹設され、溝２５ｂ、４４ａ内には変速機付き圧縮機の径方向を軸方向
とする円柱状のコロ２８が収納されている。この変速機付き圧縮機では、これら溝２５ｂ
、４４ａ及びコロ２８が周方向で等間隔に６組設けられている。全ての溝２５ｂ、４４ａ
及びコロ２８によって調圧手段２９が構成されている。なお、駆動ロータ４４はバランス
ウェイトも兼ねている。
【手続補正８】
【補正対象書類名】明細書
【補正対象項目名】００４５
【補正方法】変更
【補正の内容】
【００４５】
この間、車両用空調装置において、熱負荷が大きいことにより吸入圧力Ｐｓが大きけれ
ば、図３に示す制御弁８１が配管６３を通路８１ａに連通させ、制御弁８２が配管６１を
通路８２ａに連通させる。このため、変速室１０ａ内には低圧の吸入圧力Ｐｓが導入され
、シリンダ室１２ａには高圧の吐出圧力Ｐｄが導入される。このため、変速リング２６は
、第１受圧面２６ｄに吸入圧力Ｐｓを受け、第２受圧面２６ｅに吐出圧力Ｐｄを受け、第
１軸芯Ｏ１に対して傾斜することなく、変速室１０ａ内に突出する。こうして、変速リン
グ２６が各遊星回転子２７における変速受動面２７ａの小径側で摩擦接触し、出力軸２４
が高速で回転することから、単位時間当たりの冷媒の圧縮量が増加する。
【手続補正９】
【補正対象書類名】明細書
【補正対象項目名】００４６
【補正方法】変更
【補正の内容】
【００４６】
他方、熱負荷が小さいことにより吸入圧力Ｐｓが小さければ、制御弁８１が配管６１を
通路８１ａに連通させ、制御弁８２が配管６３を通路８２ａに連通させる。このため、変
速室１０ａ内には高圧の吐出圧力Ｐｄが導入され、シリンダ室１２ａには低圧の吸入圧力
Ｐｓが導入される。このため、変速リング２６は、第１受圧面２６ｄに吐出圧力Ｐｄを受
け、第２受圧面２６ｅに吸入圧力Ｐｓを受け、第１軸芯Ｏ１に対して傾斜することなく、
シリンダ室１２ａ内に引き込まれる。こうして、変速リング２６が各遊星回転子２７にお
ける変速受動面２７ａの大径側で摩擦接触し、出力軸２４が低速で回転することから、単位時間当たりの冷媒の圧縮量が減少する。
【手続補正１０】
【補正対象書類名】明細書
【補正対象項目名】００５３
【補正方法】変更
【補正の内容】
【００５３】
以上のように構成された実施例２の変速機付き圧縮機においては、吸入圧力Ｐｓが大き
ければ、制御弁８３が配管６１を閉じ、制御弁８２が配管６１を通路８２ａに連通させる
。このため、変速室１０ａ内には低圧の吸入圧力Ｐｓが導入され、シリンダ室１２ａには
高圧の吐出圧力Ｐｄが導入される。このため、単位時間当たりの冷媒の圧縮量が増加する。
【手続補正１１】
【補正対象書類名】明細書
【補正対象項目名】００５４
【補正方法】変更
【補正の内容】
【００５４】
他方、吸入圧力Ｐｓが小さければ、制御弁８３が配管６１を通路８３ａに連通させ、制
御弁８２が配管６３を通路８２ａに連通させる。このため、変速室１０ａ内には高圧の吐
出圧力Ｐｄが導入され、シリンダ室１２ａには低圧の吸入圧力Ｐｓが導入される。このた
め、単位時間当たりの冷媒の圧縮量が減少する。
【手続補正１２】
【補正対象書類名】明細書
【補正対象項目名】００５８
【補正方法】変更
【補正の内容】
【００５８】
以上のように構成された実施例３の変速機付き圧縮機においては、吸入圧力Ｐｓが大きければ、制御弁８１が配管６３を通路８１ａに連通させ、制御弁８４が配管６１を通路８２ａに連通させる。このため、変速室１０ａには低圧の吸入圧力Ｐｓが導入され、シリンダ室１２ａ内には高圧の吐出圧力Ｐｄが導入される。このため、単位時間当たりの冷媒の圧縮量が増加する。
【手続補正１３】
【補正対象書類名】明細書
【補正対象項目名】００５９
【補正方法】変更
【補正の内容】
【００５９】
他方、吸入圧力Ｐｓが小さければ、制御弁８１が配管６１を通路８１ａに連通させ、制
御弁８４が配管６１を閉じる。このため、変速室１０ａ内には高圧の吐出圧力Ｐｄが導入
され、シリンダ室１２ａには低圧の吸入圧力Ｐｓが導入される。このため、単位時間当たりの冷媒の圧縮量が減少する。
【手続補正１４】
【補正対象書類名】明細書
【補正対象項目名】００６３
【補正方法】変更
【補正の内容】
【００６３】
以上のように構成された実施例４の変速機付き圧縮機においては、吸入圧力Ｐｓが大き
ければ、制御弁８３が配管６１を閉じ、制御弁８４が配管６１を通路８４ａに連通させる
。このため、変速室１０ａ内には低圧の吸入圧力Ｐｓが導入され、シリンダ室１２ａには
高圧の吐出圧力Ｐｄが導入される。このため、単位時間当たりの冷媒の圧縮量が増加する。
【手続補正１５】
【補正対象書類名】明細書
【補正対象項目名】００６４
【補正方法】変更
【補正の内容】
【００６４】
他方、吸入圧力Ｐｓが小さければ、制御弁８３が配管６１を通路８３ａに連通させ、制
御弁８４が配管６１を閉じる。このため、変速室１０ａ内には高圧の吐出圧力Ｐｄが導入
され、シリンダ室１２ａには低圧の吸入圧力Ｐｓが導入される。このため、単位時間当たりの冷媒の圧縮量が減少する。
【手続補正１６】
【補正対象書類名】明細書
【補正対象項目名】００６８
【補正方法】変更
【補正の内容】
【００６８】
以上のように構成された実施例５の変速機付き圧縮機においては、吸入圧力Ｐｓが大き
ければ、制御弁８１が配管６３を通路８１ａに連通させる。このため、変速室１０ａ内に
は低圧の吸入圧力Ｐｓが導入され、変速リング２６はバネ８５の付勢力により変速室１０
ａ側に突出する。このため、単位時間当たりの冷媒の圧縮量が増加する。
【手続補正１７】
【補正対象書類名】明細書
【補正対象項目名】００６９
【補正方法】変更
【補正の内容】
【００６９】
他方、吸入圧力Ｐｓが小さければ、制御弁８１が配管６１を通路８１ａに連通させる。
このため、変速室１０ａ内には高圧の吐出圧力Ｐｄが導入され、変速リング２６はバネ８
５の付勢力に抗してシリンダ室１２ａ内に引き込まれる。このため、単位時間当たりの冷媒の圧縮量が減少する。
【手続補正１８】
【補正対象書類名】明細書
【補正対象項目名】００７３
【補正方法】変更
【補正の内容】
【００７３】
以上のように構成された実施例６の変速機付き圧縮機においては、吸入圧力Ｐｓが大き
ければ、制御弁８３が配管６１を閉じる。このため、変速室１０ａ内には固定絞り６３ａ
をもつ配管６３により低圧の吸入圧力Ｐｓが導入され、変速リング２６はバネ８５の付勢
力により変速室１０ａ側に突出する。このため、単位時間当たりの冷媒の圧縮量が増加する。
【手続補正１９】
【補正対象書類名】明細書
【補正対象項目名】００７４
【補正方法】変更
【補正の内容】
【００７４】
他方、吸入圧力Ｐｓが小さければ、制御弁８３が配管６１を通路８３ａに連通させる。
このため、変速室１０ａ内には高圧の吐出圧力Ｐｄが導入され、変速リング２６はバネ８
５の付勢力に抗してシリンダ室１２ａ内に引き込まれる。このため、単位時間当たりの冷媒の圧縮量が減少する。
【手続補正２０】
【補正対象書類名】明細書
【補正対象項目名】００７８
【補正方法】変更
【補正の内容】
【００７８】
以上のように構成された実施例７の変速機付き圧縮機においては、吸入圧力Ｐｓが大き
ければ、制御弁８２が配管６１を通路８２ａに連通させる。このため、シリンダ室１２ａ
内には高圧の吐出圧力Ｐｄが導入され、変速リング２６はバネ８６の付勢力に抗して変速
室１０ａ側に突出する。このため、単位時間当たりの冷媒の圧縮量が増加する。
【手続補正２１】
【補正対象書類名】明細書
【補正対象項目名】００７９
【補正方法】変更
【補正の内容】
【００７９】
他方、吸入圧力Ｐｓが小さければ、制御弁８２が配管６３を通路８２ａに連通させる。
このため、シリンダ室１２ａ内及び変速室１０ａ内には低圧の吸入圧力Ｐｓが導入され、変速リング２６はバ
ネ８６の付勢力に屈してシリンダ室１２ａ内に引き込まれる。このため、単位時間当たりの冷媒の圧縮量が減少する。
【手続補正２２】
【補正対象書類名】明細書
【補正対象項目名】００８３
【補正方法】変更
【補正の内容】
【００８３】
以上のように構成された実施例８の変速機付き圧縮機においては、吸入圧力Ｐｓが大き
ければ、制御弁８４が配管６１を通路８４ａに連通させる。このため、シリンダ室１２ａ
内には高圧の吐出圧力Ｐｄが導入され、変速リング２６はバネ８６の付勢力に抗して変速
室１０ａ側に突出する。このため、単位時間当たりの冷媒の圧縮量が増加する。
【手続補正２３】
【補正対象書類名】明細書
【補正対象項目名】００８４
【補正方法】変更
【補正の内容】
【００８４】
他方、吸入圧力Ｐｓが小さければ、制御弁８４が配管６１を閉じる。このため、変速リ
ング２６はバネ８６の付勢力に屈してシリンダ室１２ａ内に引き込まれる。このため、単位時間当たりの冷媒の圧縮量が減少する。
【手続補正２４】
【補正対象書類名】明細書
【補正対象項目名】００８５
【補正方法】変更
【補正の内容】
【００８５】
この変速機付き圧縮機でも、最小回転速度での起動を実現することができる。他の作用効果は実施例１の変速機付き圧縮機と同様である。なお、制御弁８４として、冷媒の吐出圧力Ｐｄによって図示しない弁体が移動し、配管６１を通路８４ａに連通させるものを用いることもできる。 
【手続補正２５】
【補正対象書類名】明細書
【補正対象項目名】０１０４
【補正方法】変更
【補正の内容】
【０１０４】
【図１】実施例１の変速機付き圧縮機の断面図である。
【図２】実施例１の変速機付き圧縮機の要部部分断面図である。
【図３】実施例１の変速機付き圧縮機の要部部分断面図である。
【図４】実施例２の変速機付き圧縮機の要部部分断面図である。
【図５】実施例３の変速機付き圧縮機の要部部分断面図である。
【図６】実施例４の変速機付き圧縮機の要部部分断面図である。
【図７】実施例５の変速機付き圧縮機の要部部分断面図である。
【図８】実施例６の変速機付き圧縮機の要部部分断面図である。
【図９】実施例７の変速機付き圧縮機の要部部分断面図である。
【図１０】実施例８の変速機付き圧縮機の要部部分断面図である。
【図１１】実施例１〜１１の変速機付き圧縮機に係る制御弁を示す模式図である。
【図１２】実施例１１の変速機付き圧縮機の断面図である。
【手続補正２６】
【補正対象書類名】図面
【補正対象項目名】図３
【補正方法】変更
【補正の内容】
【図３】
2005307835.tif 000001